(57)【要約】【課題】ＦＴＭの性同一性障害者が生理中でも違和感なく着用できる下半身用衣類を提供する。【解決手段】本願の下半身用衣類１０は、外部衣類１２と内部衣類１４から構成される。外部衣類１２の肌側に内部衣類１４が配置されており、下半身用衣類１０は外部衣類１２と内部衣類１４の二重構造になっている。外部衣類１２はトランクス（ボクサーショーツ）の肌着である。内部衣類１４は前身頃３８、後身頃４０および股布４２を備える。内部衣類１４を構成する各部の生地は伸縮性を有する生地であってもよく、内部衣類１４は肌に密着するようになっている。【選択図】図１
2020090730.tif 000002
【特許請求の範囲】
【請求項１】
少なくとも腰部を覆う外部衣類と、
前記外部衣類の内部かつ上部に取り付けられ、腰部に密着する内部衣類と、
を備えた下半身用衣類。
【請求項２】
前記内部衣類が前身頃、後身頃および股布を備え、
前記前身頃と後身頃の両脇部および該後身頃の両脇部間の中央部から下方が肌側に収縮する請求項１の下半身用衣類。
【請求項３】
前記前身頃と後身頃の両脇部の生地が下半身用衣類の縦方向に収縮し、
前記後身頃の両脇部間の中央部の生地が下半身用衣類の横方向に収縮する
請求項２の下半身用衣類。
【請求項４】
前記外部衣類が前身頃および後身頃を含み、
前記前身頃の中央部に設けられた収納部と、
前記収納部に収納され、前身頃の中央部を膨らませる膨出部材と、
を備えた請求項１から３のいずれかの下半身用衣類。
【発明の詳細な説明】
【技術分野】
【０００１】
本発明は、女性の身体に適した下半身用衣類に関するものである。
【背景技術】
【０００２】
ＦＴＭ（Female to Male）の性同一性障害者は女性の身体であるが、性自認は男性である。そのため、心理的な理由から男性用の衣類を着用する場合が多い。トランクス（ボクサーショーツ）などの男性用の肌着は生理用ナプキンの使用を想定したつくりになっていない。男性用の肌着に生理用ナプキンを留め置いて、股間に押し当てるようにはできていない。そのため、下記特許文献１は生理用ナプキンを固定する帯を設けている。
【０００３】
しかし、特許文献１はトランクスであり、股間とトランクスの間に隙間ができるおそれがある。そのため、上記帯に生理用ナプキンを固定できても、股間に押し当てられないおそれがある。また、生理中だけ女性用の肌着を着用すれば上記の問題はなくなるが、心理的なストレスを生じる場合がある。
【先行技術文献】
【特許文献】
【０００４】
【特許文献１】特開２０１５−７４８６８号公報
【発明の概要】
【発明が解決しようとする課題】
【０００５】
本発明の目的は、ＦＴＭの性同一性障害者が生理中でも違和感なく着用できる下半身用衣類を提供することにある。
【課題を解決するための手段】
【０００６】
本発明の下半身用衣類は、外部衣類と内部衣類を備える。外部衣類は少なくとも腰部を覆う。内部衣類は、外部衣類の内部かつ上部に取り付けられ、腰部に密着する。
【０００７】
前記内部衣類が前身頃、後身頃および股布を備える。前記前身頃と後身頃の両脇部および該後身頃の両脇部間の中央部から下方が肌側に収縮する。
【０００８】
前記前身頃と後身頃の両脇部の生地が下半身用衣類の縦方向に収縮し、前記後身頃の両脇部間の中央部の生地が下半身用衣類の横方向に収縮する。
【０００９】
前記外部衣類が前身頃および後身頃を含む。前記前身頃の中央部に設けられた収納部と、前記収納部に収納され、前身頃の中央部を膨らませる膨出部材とを備える。
【発明の効果】
【００１０】
本発明によると、外部衣類によって内部衣類が視認できず、外部衣類が男性用の衣類であれば、外見上、男性用の衣類を着用していることになる。また、内部衣類が肌に密着しているので、生理用ナプキンを内部衣類に取り付け、生理用ナプキンを股間に密着させることができる。生理中の女性であっても、本願の下半身用衣類を着用することができ、心理的ストレスを緩和できる。
【００１１】
内部衣類が臀部に向けて収縮することができ、臀部の形状を男性的なものに変形させることができ、男性的なスタイルにすることができる。膨出部材が前身頃を前方に突出させるため、男性的なスタイルにすることができる。
【図面の簡単な説明】
【００１２】
【図１】本願の下半身用衣類の図であり、（ａ）は前方から見た下半身用衣類の図であり、（ｂ）は後方から見た下半身用衣類の図である。
【図２】膨出部材の図であり、（ａ）は前方から見た膨出部材の図であり、（ｂ）は側方から見た膨出部材の図である。
【図３】内部衣類の図であり、（ａ）は前方から見た内部衣類の図であり、（ｂ）は後方から見た内部衣類の図である。
【発明を実施するための形態】
【００１３】
本発明の下半身用衣類について図面を使用して説明する。
【００１４】
図１に示す本願の下半身用衣類１０は、外部衣類１２と内部衣類１４から構成される。外部衣類１２の肌側に内部衣類１４が配置されており、下半身用衣類１０は外部衣類１２と内部衣類１４の二重構造になっている。
【００１５】
外部衣類１２は少なくとも腰部を覆えばよく、たとえば腰部と大腿の一部または全部を覆ってもよい。外部衣類１２は内部衣類１４よりも大きく、内部衣類１４は外部衣類１２によって視認できない。外部衣類１２はトランクス（ボクサーショーツ）の肌着である。下半身用衣類１０の外見上は男性用の肌着に見える。
【００１６】
外部衣類１２は前身頃１６、後身頃１８および股布２０を含む。前身頃１６、後身頃１８および股布２０は、縫合、溶着または接着でつなぎ合わされて一体になっている。前身頃１６、後身頃１８および股布２０を構成する生地はポリエステル、ポリウレタン、コットン、ナイロンなどの繊維からなる生地である。また、前身頃１６、後身頃１８および股布２０は複数の生地から構成されてもよい。さらに、前身頃１６の一部が後身頃１８の全部または一部と一体になった生地であってもよいし、後身頃１８の一部が前身頃１６の全部または一部と一体になった生地であってもよい。
【００１７】
下半身用衣類１０の着用時に、外部衣類１２の股布２０は肌に向かって収縮しない。そのため、外部衣類１２の股布２０が生理用ナプキンを股間に押さえつけない。
【００１８】
外部衣類１２の前身頃１６の中央部に収納部２２が設けられている。図２に示す膨出部材２４が収納部２２に収納される。膨出部材２４は軽量、弾力性、柔軟性、かつ立体的に成形できる材料で構成されている。たとえば、膨出部材は不織布、発泡性ウレタンまたはマイクロビーズなどを袋に入れたものである。また、発泡性ウレタンを所定形状にしたものであってもよい。膨出部材２４の形状は円柱状、楕円球状または卵形を半分にした形状である。膨出部材２４は平面部２６と曲面状の凸部２８を備える。膨出部材２４の平面部２６が肌側に配置されるようにして収納部２２に収納される。膨出部材２４が前身頃１６の中央部を前方に膨らませる。下半身用衣類１０の着用時に、着用者に男性性器があるように見える。
【００１９】
収納部２２は前身頃１６の前側（肌の反対側）に布３０を取り付けることで形成する。収納部２２の布３０は前身頃１６と同種の生地で形成することが好ましい。収納部２２の布３０の端部をすべて前身頃１６に取り付けるのではなく、収納部２２の布３０の端部の一部３２が前身頃１６に取り付けられていない。その取り付けられていない一部３２を通して膨出部材２４を収納部２２に出し入れできる。下半身用衣類１０の着用時に収納部２２に膨出部材２４を収納し、洗濯時に収納部２２から膨出部材２４を取り出す。下半身用衣類１０と膨出部材２４を別々に洗濯して乾燥させることで、下半身用衣類１０と膨出部材２４の乾燥時間を短縮できる。また、膨出部材２４が直接洗濯されるため、膨出部材２４は清潔にされやすい。
【００２０】
内部衣類１４の上部３４が外部衣類１２の上部３６に縫合、溶着または接着によって取り付けられている。内部衣類１４の全体が外部衣類１２に取り付けられているのではない。人の動きに合わせて内部衣類１４が変形しても、内部衣類１４と全く同じように外部衣類１２が変形するわけではない。外部衣類１２と内部衣類１４が互いに引っ張り合って動きを制限することは無く、着心地を損ねにくい。外部衣類１２の上部３６はその上部３６を一周する弾性体（ゴム）になっており、内部衣類１４の上部３４はその弾性体に取り付けられてもよい。内部衣類１４の上部３４に別途弾性体（ゴム）を設ける必要が無い。
【００２１】
図３に示すように、内部衣類１４は前身頃３８、後身頃４０および股布４２を備える。内部衣類１４を構成する各部の生地は伸縮性を有する生地であってもよく、内部衣類１４は肌に密着するようになっている。
【００２２】
股布４２は表地（マチ）と裏地（クロッチ）で構成されている。表地はコットンなどの生地であり、裏地は防水布である。裾部４４を一周する弾性体（ゴム）を取り付ける。裾部４４が腰部と大腿の境辺りに密着する。さらに、下半身用衣類１０を着用したとき、裏地は人体の両脇から中心に向かう方向に収縮する。このため、生理用ナプキンを裏地に取り付けることができ、肌に押し付けることができる。また、防水布（裏地）によって体液が染み出すのを防止できる。下半身用衣類１０の外見は男性用の肌着に見え、さらに生理中であっても着用することができる。なお、生理時以外の時に着用することを考慮して、裏地に防水布以外の生地を使用しもよい。
【００２３】
内部衣類１４は、前身頃３８の一部と後身頃４４の一部に裏地を備える。すなわち、前身頃３８と後見頃４４は表地と裏地で二重になった部分および表地のみの部分を有する。裏地に伸縮性の生地、たとえばポリウレタン繊維を含むパワーネットまたはサテンネットを使用する。裏地は第１裏地４６と第２裏地４８を有する。第１裏地４６は脇部５０に設けられている。第１裏地４６は脇部５０の上部３４から下部（裾部４４）に渡って設けられている。脇部５０は前身頃３８と後身頃４０の接合された部分を含む側方の部分である。第１裏地４６の伸縮方向は縦方向（上部３４と裾部４４を結ぶ方向Ｙ）である。第１裏地４６は、臀部の脇側を押圧して臀部の脇側を平らにしようとする。第２裏地４８は両脇部５０の間、かつ、後身頃４０の中央部５２またはその上方から下部（後身頃４０と股布４２の接合部５４）に渡って設けられている。第２裏地４８の端部５６が第１裏地４６と重なってもよい。図３では、第２裏地４８が第１裏地４６と重なった部分をドットの領域Ａで示している。第２裏地４８が伸縮する方向は横方向（両脇部５０を結ぶ方向Ｘ）である。第２裏地４８は、臀部の中央部から下方を押圧して臀部を押さえようとする。下半身用衣類１０を着用すると、裏地４６、４８が収縮しようとし、裏地４６、４８が臀部を押圧する。臀部が変形され、女性的な丸みのある臀部から男性的な角の有る臀部に形を変えることができる。
【００２４】
なお、内部衣類１４の前身頃３８および後身頃４０の表地はポリエステル、ポリウレタン、コットン、ナイロンなどの繊維からなる生地である。それらの生地は伸縮性の生地であってもよく、腰部に適度に密着するように収縮する。
【００２５】
以上のように、本願は外見上男性の肌着に見えるため心理的ストレスを無くすことができる。内部衣類１４によって生理用ナプキンを股間に押し付けることができ、生理中であっても女性用の肌着を着用する必要が無くなる。ＦＴＭの女性が本願の下半身用衣類１０を着用することに限定されず、女性が男性用衣装を着て仮装するときに着用しても良い。
【００２６】
以上、本願について一実施形態を説明したが、本願は上記の実施形態に限定されない。外部衣類１２の前身頃１６の表側に布３０を取り付けて収納部２２を形成したが、前身頃１６の肌側に布３０を取り付けて収納部２２を形成してもよい。膨出部材２４が収納部２２に対して出し入れ可能であったが、膨出部材２４が収納部２２に入れられたままで出し入れできないようにしてもよい。さらに、収納部２２の布３０を省略して膨出部材２４を前身頃１６に直接固定してもよい。膨出部材２４は完全な円柱状、楕円球状、卵形であっても良い。
【００２７】
上記実施形態の外部衣類１２は男性用の肌着を用いて説明しているが、外部衣類１２は男性用の肌着に限定されない。外部衣類１２はデニムやスラックスなどのパンツであってもよい。
【００２８】
その他、本発明は、その主旨を逸脱しない範囲で当業者の知識に基づき種々の改良、修正、変更を加えた態様で実施できるものである。
【符号の説明】
【００２９】
１０：下半身用衣類
１２：外部衣類
１４：内部衣類
１６：外部衣類の前身頃
１８：外部衣類の後身頃
２０：外部衣類の股布
２２：収納部
２４：膨出部材
２６：平面部
２８：曲面状の凸部
３０：収納部を形成する布
３２：収納部を形成する布の一部
３４：内部衣類の上部
３６：外部衣類の上部
３８：内部衣類の前身頃
４０：内部衣類の後身頃
４２：内部衣類の股布
４４：裾部
４６：第１裏地
４８：第２裏地
５０：脇部
５２：後身頃の中央部
５４：内部衣類の後身頃と股布の接合部
５６：第１裏地の端部
【図１】
2020090730.tif 000003
【図２】
2020090730.tif 000004
【図３】
2020090730.tif 000005
【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
少なくとも腰部を覆う外部衣類と、
前記外部衣類の内部かつ上部に取り付けられ、腰部に密着する内部衣類と、
を備え、
前記内部衣類が前身頃、後身頃、第１裏地、第２裏地および股布を備え、
前記第１裏地が脇部に設けられ、内部衣類の上部と裾部を結ぶ方向に収縮し、
前記第２裏地は後身頃の中央部または該中央部の上方から後身頃と股布の接合部に渡って設けられ、両脇部を結ぶ方向に収縮し、
前記第２裏地の端部が第１裏地と重なった下半身用衣類。
【請求項２】
前記股布は表地と裏地で構成されており、該裏地は防水布であり、
前記裾部を一周する弾性体が取り付けられた請求項１の下半身用衣類。
【請求項３】
前記外部衣類が前身頃および後身頃を含み、
前記前身頃の中央部に設けられた収納部と、
前記収納部に収納され、前身頃の中央部を膨らませる膨出部材と、
を備えた請求項１または２の下半身用衣類。